(57)【要約】【課題】木造軸組住宅の耐震性能を容易に認識できるもので、特に、筋交いのバランス、屋根の重さによる違いで地震発生時にどのような揺れが起こり崩壊するのかが一目瞭然に理解でき、しかも、容易に持ち運び可能で、小型で、安価であり、場所を限定せずに活用できる木造建築の耐震原理検知模型を提供する。【解決手段】木造軸組みの仕口を、ゴム紐等の弾性伸縮部材で締結してピン接合を模した木造建物模型２を構築し、この木造建物模型２を可動地盤用台部１上に設置した。【選択図】        図１
2004226590.tif 000002
【特許請求の範囲】
【請求項１】
木造軸組みの仕口を、ゴム紐等の弾性伸縮部材で締結してピン接合を模した木造建物模型を構築し、
この木造建物模型を、可動地盤用台部上に設置したことを特徴とする木造建築の耐震原理検知模型。
【請求項２】
前記木造軸組みにおいて、筋交部材は、その端部を面ファスナーで軸組内に固定可能として着脱自在に配設することを特徴とする請求項１に記載の木造建築の耐震原理検知模型。
【請求項３】
弾性伸縮部材であるゴム紐は、
軸組部材を太さ方向に貫通するピンに、その端部を係止して軸組部材相互間に掛け渡すことを特徴とする請求項１又は２に記載の木造建築の耐震原理検知模型。
【発明の詳細な説明】
【０００１】
【発明の属する技術分野】
この発明は、住宅建築予定者が木造住宅を建築しようとする場合に、最も心配となる耐震性について説明する為の木造建築の耐震原理検知模型に関するものである。
【０００２】
【従来の技術】
住宅建築予定者、いわゆるお施主様が木造住宅を建築しようとする場合に、設計者や工務店などは間取り等の打合せにおいて、最も心配となる耐震性について充分な補強がなされていることを説明する必要がある。
【０００３】
しかし、木造軸組住宅の耐震性能に関しては、住宅が実際に完成されると、外壁材により周囲が被覆されてしまうので、内部の木造軸組の構成を確かめることができない。
【０００４】
また、実際に目で確かめる方法としては、実物大の建物を大型の振動実験台の上に組み立て、人工的に地震を模した振動を与える方法や下記特許文献のものがある。
【０００５】
【特許文献１】
特開平１０−２０７５８号公報
【特許文献２】
特開平１０−１４３０５９号公報
【特許文献３】
特開平１１−１６１１４８号公報
【０００６】
前記特許文献１は、木造住宅の建築工法において、耐震性に対する充分の補強構造が成されていることを確認可能とすべく、木造軸組工法の躯体部分の補強材や補強金具等の耐震構造部品が露出した実物大の断面構造模型を構成し、この構造躯体と基礎との接続状態をも展示したことを特徴とする木造住宅建築工法の展示説明装置に関するもので、このような木造住宅建築工法の展示説明装置に付設して、当該木造住宅建築工法を説明する映像と音声を提供するビデオ画像映写装置を併置したものである。
【０００７】
前記特許文献２は、住宅において、耐力壁の配置の相違により発生する揺れ方の相違が視認できるように、耐力壁の位置の相違する複数の住宅模型を構成し、この住宅模型を振動させるもので、住宅模型は２階建てとして、１階と２階で別々に耐力壁の配置を変更可能としたものである。なお、住宅模型は、耐力壁のバランスの良い住宅模型と、耐力壁が平面的にバランスの悪い住宅模型と、耐力壁が立面的にバランスの悪い模型の３種類の住宅模型を構成し、これらにそれぞれ起振装置を具備させて、振動させる。
【０００８】
前記特許文献３は、地震の振動に類似した振動数により振動可能とした振動台の上に、免震構造や制震構造の建物模型を配置し、この振動台上に配置した免震構造、制震構造の建物に発生する振動を視認可能とする固定目盛を、振動台以外の固定台より突出させたもので、振動台の上には、一般構造の建物の、高さの異なるものを複数台配置し、振動台の周期又は振幅を変更可能としている。
【０００９】
したがって、オペレーターは、振動台の振動の周期や振幅を変更しながら、各模型建物の振動の状態を目で確認することができて、免震構造と制震構造と一般構造の振動の相違等を理解することができるとある。
【００１０】
【発明が解決しようとする課題】
前記実物大の建物を、大型の振動実験台の上に組み立てるものでは、非常に大掛りなものとなり、コスト高となるとともに、大型の振動実験台を設置した特定の場所でなければ、耐震性能を目視することができない。
【００１１】
また、前記特許文献１のものでは、実際に振動を与えるものではなく、説明を受けることにより、木造軸組住宅の耐震性能を理解しなければならず、信憑性に乏しい。
【００１２】
前記特許文献２のものでは、木造軸組住宅に関するものではないし、また、１階と２階で別々に耐力壁の配置を変更可能とした住宅模型を、これらにそれぞれ起振装置を具備させて、振動させたとしても、各模型の変形状態が少ないと、傍から見ただけで、揺れの違いが認識体験できないおそれもある。
【００１３】
前記特許文献３のものでは、同じく木造軸組住宅に関するものではないし、また、建物模型の横に建物に発生する振動を視認可能とする固定目盛を建てることにより、オペレーターが、免震構造と一般構造の場合の、振動の相違を確認することができるもので、専門的でないものが、容易に耐震性能を理解できるものではない。
【００１４】
この発明はかかる現状に鑑み、木造軸組住宅の耐震性能を容易に認識できるものであり、特に、筋交いのバランス、屋根の重さによる違いで地震発生時にどのような揺れが起こり崩壊するのかが一目瞭然に理解でき、しかも、容易に持ち運び可能で、小型で、安価であり、場所を限定せずに活用できる木造建築の耐震原理検知模型を提供せんとするものである。
【００１５】
【課題を解決するための手段】
前記目的を達成するため、この発明の請求項１に記載の発明は、
木造軸組みの仕口を、ゴム紐等の弾性伸縮部材で締結してピン接合を模した木造建物模型を構築し、
この木造建物模型を可動地盤用台部上に設置したことを特徴とする木造建築の耐震原理検知模型である。
【００１６】
より、具体的には、木造軸組みを構成する筋交部材を、その端部を面ファスナーで軸組内に固定可能として着脱自在に配設すること、弾性伸縮部材であるゴム紐は、軸組部材を太さ方向に貫通するピンに、その端部を係止して軸組部材相互間に掛け渡すことを特徴とする。
【００１７】
この請求項１に記載の発明によれば、可動地盤用台部を振動させ、地震を模した振動を木造建物模型に与えれば、この模型は、木造軸組みの仕口がピン接合を模した結合であるので、仕口を変形中心点として揺れによる変形を軸組み全体で容易に表現することができ、同時に筋交いのバランスの相違、屋根の重さによる違い等でどのような揺れが起こり、如何に崩壊するのかが一目瞭然でわかる。
【００１８】
また、請求項２記載の発明によれば、前記作用に加えて、筋交部材を着脱自在に配設することができ、しかも、セットは面ファスナーで迅速に行なえ、筋交部材の位置や本数の変更で、揺れの違いを容易に現すことができる。
【００１９】
さらに、請求項３記載の発明によれば、弾性伸縮部材としてゴム紐を利用することで、安価で、簡単に配設でき、しかも軸組部材を太さ方向に貫通するピンにその端部を係止するようにすれば、外側に露出せず、体裁がよいし、また、軸組部材の軸芯に近づけて配設することが可能となる。
【００２０】
【発明の実施の形態】
以下、この発明にかかる木造建築の耐震原理検知模型の実施形態を、添付の図面に基づいてより詳細に説明する。
【００２１】
図１はこの発明の木造建築の耐震原理検知模型の１実施形態を示す斜視図、図２は同上軸組み要部の一部切り欠いた正面図、図３は同上可動地盤用台部の一部切り欠いた正面図で、この発明の木造建築の耐震原理検知模型は、可動地盤用台部１と、その上に設ける木造建物模型２とからなる。
【００２２】
可動地盤用台部１は、扁平な矩形ハウジング３内に駆動装置としての駆動モータ２１と、これに連結するギヤ等の伝達機構５およびカム６を収め、前記矩形ハウジング３に蓋状の盤体を可動地盤４に模して、カム６からのカム軸６ａを可動地盤４の裏面に形成する係合溝部７に挿入したもので、図示の例では、係合溝部７は、間隔を存して平行する桟木に取り付けた金属製アングル材を対向させて形成している。
【００２３】
なお、駆動装置としての駆動モータ２１には、市販の電動ドリルドライバーを利用し、また、伝達機構５には市販のハンドドリルを利用することもでき、このように可動地盤用台部１を構成する部材として、他用途に用いられている市販品を利用することで、安価に、かつ、簡単に製作することができる。
【００２４】
図示の実施形態では、カム６による変心回転運動を可動地盤４に伝えるものとしたが、これに限定されるものでなく、直線的な往復運動による振動を伝えるようなものでもよく、また、伝達機構５には適宜減速機構を兼用させるとともに、ギヤ以外で、ラック、チェーン、ベルト等種々の部品の使用が考えられる。
【００２５】
木造建物模型２は、通常の木造建築と同じく、基礎８とその上の軸組み９、小屋組１０とで構成するが（なお、床組は設けてもよいが、省略することもできる）、基礎８と、上に載る土台１１は、前記可動地盤用台部１の可動地盤４に固定して取り付ける部分であり、アンカーボルト１７（図４参照）で可動地盤４に締結する。
【００２６】
軸組み９は、前記土台１１と、柱１２、胴差し、けた（又ははり）１３、筋交いおよびこれらの間にある構造部材（図示では（胴）ぬき２２）からなるが、この発明は、かかる木造軸組みの仕口、例えば、土台１１と柱１２、柱１２とけた１３または胴差しの接合部を、ゴム紐１４等の弾性伸縮部材で締結してピン接合を模したもので、この弾性伸縮部材としては、ゴム紐１４以外では細いコイルバネ等が考えられる。
【００２７】
図示の実施形態は、輪ゴムによるゴム紐１４を使用する場合であり、このゴム紐１４は、直接各軸組部材に太さ方向に貫通する孔を設けて挿通させることで係止してもよいが、図２に示すように、土台１１や柱１２やけた１３等の軸組部材を太さ方向に貫通するピン１５を設け、ゴム紐１４の端部をこのピン１５に係止して軸組部材相互間に掛け渡すようにしている。この場合、軸組部材（図示の例では土台１１と柱１２）には空所１６を形成し、ゴム紐１４はこの空所１６内に収めて外部には露出しないようにすることで、ゴム紐１４を軸組部材の軸芯に近づけて配設することが可能となる。
【００２８】
図１に示す木造建物模型２は、小屋組１０を形成するとともに、屋根板等を嵌め込んだ屋根１８を設けたもので、この屋根１８は、模型毎に重さや大きさの異なるものを設置することが好ましい。
【００２９】
また、他の実施形態として、木造建物模型２は、図５、図６に示すように、たるき１０ａや棟木１０ｂ、方つえ１０ｃのごとき小屋組１０のみの状態を設けたものでもよい。
【００３０】
図中１９は、筋交部材であって、その端部と軸組み面内角部に、面ファスナーテープ２０を設けたものである。この面ファスナー２０は周知のごとく、テープ基材に剛性を備えた硬い糸で形成されるフックを植設した雄部材と、テープ基材に柔らかい糸で形成されるループを植設した雌部材とからなり、これら雄部材・雌部材のいずれか一方を筋交部材１９に、他方を軸組み側（図示では土台１１と柱１２とけた１３とによる枠内）に設ける。
【００３１】
このようにして着脱自在に配設する筋交部材１９は、面ファスナー２０で軸組内に固定可能としたもので、筋交部材１９としては、交差用または単独用いずれのものでもよい。さらに、筋交部材１９は、図示のように端部をカットして軸組み角部との間に空間を確保すると、着脱自在し易いものとなる。
【００３２】
以下、その使用法について説明する。
この発明の木造建築の耐震原理検知模型は、人間が可搬送できる大きさのものであり、一般の工務店等がお施主様と打ち合わせる際などに、使用することができる。
【００３３】
まず、駆動モータ２１を駆動すれば、カム６により可動地盤４が振動し、木造建物模型２に地震の振動が与えられた状態となるので、その結果、ゴム紐１４等の弾性伸縮部材で締結してピン接合を模した仕口が自由に動き、図１に示すように木造建物模型２が揺れて変形する。
【００３４】
例えば、先の述べたように屋根１８を設ける場合は、大きさや重さの異なる屋根１８を組込んだ木造建物模型２を並べてみると、建物の重心の違いによる揺れの相違を認識することができる。
【００３５】
また、他の使用法として、図５は筋交部材１９を配設しない場合、図６は筋交部材１９を配設した場合であるが、このような筋交部材１９の有無で、揺れの相違を一目瞭然に認識することができ、耐震要素としての筋交部材１９の重要性が理解できる。
【００３６】
なお、前記実施形態の他に、図示は省略するが、壁板パネルを耐震要素と付加する場合とこれがない場合など、もしくは（胴）ぬき２２の数を変えるなどの相違なども出現させることが可能である。
【００３７】
【発明の効果】
以上述べたように、この発明の木造建築の耐震原理検知模型は、木造軸組住宅の耐震性能を容易に認識できるものであり、特に、筋交いのバランス、屋根の重さによる違いで、地震発生時にどのような揺れが起こり崩壊するのかが一目瞭然に理解でき、しかも、容易に持ち運び可能で、小型で、安価であり、場所を限定せずに活用できるものである。
【００３８】
このようにして、容易に持ち運びできることにより、一般のお客様に見て頂くことができ、工務店、資材販売店の建て替え受注と耐震補強工事の受注増大につなげることができる。
【図面の簡単な説明】
【図１】この発明の木造建築の耐震原理検知模型の１実施例を示す斜視図である。
【図２】木造建築の耐震原理検知模型における軸組み要部の一部切り欠いた正面図である。
【図３】木造建築の耐震原理検知模型における可動地盤用台部の一部切り欠いた正面図である。
【図４】木造建築の耐震原理検知模型における筋交部材の配設部分の正面図である。
【図５】木造建築の耐震原理検知模型における他の実施例を示す筋交部材未配設状態の正面図である。
【図６】木造建築の耐震原理検知模型における他の実施例を示す筋交部材配設状態の正面図である。
【符号の説明】
１      可動地盤用台部
２      木造建物模型
３      矩形ハウジング
４      可動地盤
５      伝達機構
６      カム
６ａ    カム軸
７      係合溝部
８      基礎
９      軸組み
１０    小屋組
１０ａ  たるき
１０ｂ  棟木
１０ｃ  方つえ
１１    土台
１２    柱
１３    けた
１４    ゴム紐
１５    ピン
１６    空所
１７    アンカーボルト
１８    屋根
１９    筋交部材
２０    面ファスナー
２１    駆動モータ
２２    ぬき
【図１】
2004226590.tif 000003
【図２】
2004226590.tif 000004
【図３】
2004226590.tif 000005
【図４】
2004226590.tif 000006
【図５】
2004226590.tif 000007
【図６】
2004226590.tif 000008